(57)【要約】【課題】電子機器のコネクタ取り付け構造において、静電気による信号ラインへのノイズの混入を簡素で安価な構成で防止する。【解決手段】コネクタ取り付け構造１０は、コネクタ１１、回路基板１２、金属製のシャーシ１３及びコネクタ固定ねじ１４等によって構成され、コネクタ１１の端子１５の周囲には、金属製の遮蔽部材１６が配設される。遮蔽部材１６がコネクタ固定ねじ１４を介してシャーシ１３に電気的に接続されているので、遮蔽部材１６に放電された静電気をコネクタ固定ねじ１４を介してシャーシ１３に逃がすことができ、これにより、安価な汎用のねじを用いつつ、該信号ラインへのノイズの混入を防止できる。【選択図】図２
2007087754.tif 000002
【特許請求の範囲】
【請求項１】
通信ケーブルが接続されて該ケーブルと導通される端子と、この端子の周囲に配設された金属製の遮蔽部材を有するコネクタと、
前記コネクタが実装され、前記端子と導通される信号ラインが形成されている回路基板とを備え、
前記コネクタを前記回路基板上に取り付けるためのコネクタ取り付け構造において、
前記回路基板が支持される金属製のシャーシと、前記コネクタを前記シャーシに固定するための金属製のコネクタ固定ねじをさらに備え、
前記遮蔽部材は、板金加工により形成され、その下端部に、平面視で前記コネクタの外側方向に突出するように形成されたねじ装着部を有し、
前記ねじ装着部及び回路基板には、前記コネクタ固定ねじを挿通させるためのねじ挿通穴がそれぞれ形成され、前記シャーシには、前記ねじ挿通穴に挿通されたコネクタ固定ねじを螺入するための雌ねじが形成されており、
前記遮蔽部材が前記コネクタ固定ねじを介して前記シャーシに電気的に接続されていることにより、前記遮蔽部材に放電された静電気を前記コネクタ固定ねじを介して前記シャーシに逃がし、前記回路基板の信号ラインへのノイズの混入を防止することを特徴とするコネクタ取り付け構造。
【請求項２】
通信ケーブルが接続されて該ケーブルと導通される端子と、この端子の周囲に配設された金属製の遮蔽部材を有するコネクタと、
前記コネクタが実装され、前記端子と導通される信号ラインが形成されている回路基板とを備え、
前記コネクタを前記回路基板上に取り付けるためのコネクタ取り付け構造において、
前記回路基板が支持される金属製のシャーシと、前記コネクタを前記シャーシに固定するための金属製のコネクタ固定ねじをさらに備え、
前記遮蔽部材は、板金加工により形成され、その側面の一部が前記シャーシ側に延出されて、ねじ装着部が形成され、
前記回路基板及びシャーシには、前記ねじ装着部を挿通させるための挿通孔がそれぞれ形成されており、
前記ねじ装着部には、前記コネクタ固定ねじを挿通させるためのねじ挿通穴が形成され、前記シャーシには、前記挿通孔に挿通されたねじ装着部に対向するようにねじ螺入部が切り起こしによって形成されていると共に、該ねじ螺入部には、前記ねじ挿通穴に挿通されたコネクタ固定ねじを螺入するための雌ねじがそれぞれ形成されており、
前記遮蔽部材が前記コネクタ固定ねじを介して前記シャーシに電気的に接続されていることにより、前記遮蔽部材に放電された静電気を前記コネクタ固定ねじを介して前記シャーシに逃がし、前記回路基板の信号ラインへのノイズの混入を防止することを特徴とするコネクタ取り付け構造。
【請求項３】
通信ケーブルが接続されて該ケーブルと導通される端子と、この端子の周囲に配設された金属製の遮蔽部材を有するコネクタと、
前記コネクタが実装され、前記端子と導通される信号ラインが形成されている回路基板とを備え、
前記コネクタを前記回路基板上に取り付けるためのコネクタ取り付け構造において、
前記回路基板が支持される金属製のシャーシと、前記コネクタを前記シャーシに固定するための金属製のコネクタ固定ねじをさらに備え、
前記遮蔽部材が前記コネクタ固定ねじを介して前記シャーシに電気的に接続されていることにより、前記遮蔽部材に放電された静電気を前記コネクタ固定ねじを介して前記シャーシに逃がし、前記回路基板の信号ラインへのノイズの混入を防止することを特徴とするコネクタ取り付け構造。
【請求項４】
請求項１乃至請求項３に記載のコネクタ取り付け構造を備えたことを特徴とする電子機器。
【発明の詳細な説明】
【技術分野】
【０００１】
本発明は、電子機器間における通信用コネクタの取り付け構造及びそれを備えた電子機器に関するものである。
【背景技術】
【０００２】
従来から、各種の通信ケーブル等が接続される電子機器においては、ケーブルの接続時にコネクタに放電される静電気から電子部品を保護するために、種々の検討がなされている。例えば、特許文献１には、ＵＳＢコネクタの外殻に大型の防火被覆板で回路基板全体を覆うことにより、静電気を放熱板、シャーシ等に逃がしてノイズの発生を防止するコネクタ取り付け構造が示されている。また、特許文献２には、ＰＩ基板上でＰＩユニットにおける差込面を除く表面側の周辺部を覆う第１シールドと裏面側の周辺部を覆う第２シールドとの間に、ベタパターンが形成されたＰＩ基板を介在させたコネクタシールド構造が示されている。また、特許文献３には、接地用板状ばね部材を介してＩＣカード上面の金属板を接地するように構成されたＩＣカード用コネクタが示されている。また、特許文献４には、導電性装着具を用いることにより、プリント基板の挿抜時における静電気によるノイズの発生を防止する静電気除去構造が示されている。
【特許文献１】特開２００４−６３３３６号公報
【特許文献２】特開２００２−１５８０６５号公報
【特許文献３】特開平１０−３２０４７号公報
【特許文献４】特開２００４−３４２６９７号公報
【発明の開示】
【発明が解決しようとする課題】
【０００３】
しかしながら、上記特許文献１、特許文献３及び特許文献４に示された構造は、防火被覆板、接地用板状ばね部材及び導電性装着具等の比較的高価な専用部品を必要とすることから、コストアップを伴うため、コンシューマ向けの安価な電子機器には適さない。また、特許文献２に示された構造は、第１、第２のシールドに加えてベタパターンを付加したＰＩ基板を必要とすることから、部品点数が増加すると共に基板の単価が増大するため、やはり機器のコストアップを免れない。
【０００４】
本発明は、上記課題を解決するためになされたものであり、簡素で安価な構成でありながら静電気による信号ラインへのノイズの混入を防止することができるコネクタ取り付け構造及びそれを備えた電子機器を提供することを目的とする。
【課題を解決するための手段】
【０００５】
上記目的を達成するために請求項１の発明は、通信ケーブルが接続されて該ケーブルと導通される端子と、この端子の周囲に配設された金属製の遮蔽部材を有するコネクタと、コネクタが実装され、端子と導通される信号ラインが形成されている回路基板とを備え、コネクタを回路基板上に取り付けるためのコネクタ取り付け構造において、回路基板が支持される金属製のシャーシと、コネクタをシャーシに固定するための金属製のコネクタ固定ねじをさらに備え、遮蔽部材は、板金加工により形成され、その下端部に、平面視でコネクタの外側方向に突出するように形成されたねじ装着部を有し、ねじ装着部及び回路基板には、コネクタ固定ねじを挿通させるためのねじ挿通穴がそれぞれ形成され、シャーシには、ねじ挿通穴に挿通されたコネクタ固定ねじを螺入するための雌ねじが形成されており、遮蔽部材がコネクタ固定ねじを介してシャーシに電気的に接続されていることにより、遮蔽部材に放電された静電気をコネクタ固定ねじを介してシャーシに逃がし、回路基板の信号ラインへのノイズの混入を防止するものである。
【０００６】
請求項２の発明は、通信ケーブルが接続されて該ケーブルと導通される端子と、この端子の周囲に配設された金属製の遮蔽部材を有するコネクタと、コネクタが実装され、端子と導通される信号ラインが形成されている回路基板とを備え、コネクタを回路基板上に取り付けるためのコネクタ取り付け構造において、回路基板が支持される金属製のシャーシと、コネクタをシャーシに固定するための金属製のコネクタ固定ねじをさらに備え、遮蔽部材は、板金加工により形成され、その側面の一部がシャーシ側に延出されて、ねじ装着部が形成され、回路基板及びシャーシには、ねじ装着部を挿通させるための挿通孔がそれぞれ形成されており、ねじ装着部には、コネクタ固定ねじを挿通させるためのねじ挿通穴が形成され、シャーシには、挿通孔に挿通されたねじ装着部に対向するようにねじ螺入部が切り起こしによって形成されていると共に、該ねじ螺入部には、ねじ挿通穴に挿通されたコネクタ固定ねじを螺入するための雌ねじがそれぞれ形成されており、遮蔽部材がコネクタ固定ねじを介してシャーシに電気的に接続されていることにより、遮蔽部材に放電された静電気をコネクタ固定ねじを介してシャーシに逃がし、回路基板の信号ラインへのノイズの混入を防止するものである。
【０００７】
請求項３の発明は、通信ケーブルが接続されて該ケーブルと導通される端子と、この端子の周囲に配設された金属製の遮蔽部材を有するコネクタと、コネクタが実装され、端子と導通される信号ラインが形成されている回路基板とを備え、コネクタを回路基板上に取り付けるためのコネクタ取り付け構造において、回路基板が支持される金属製のシャーシと、コネクタをシャーシに固定するための金属製のコネクタ固定ねじをさらに備え、遮蔽部材がコネクタ固定ねじを介してシャーシに電気的に接続されていることにより、遮蔽部材に放電された静電気をコネクタ固定ねじを介してシャーシに逃がし、回路基板の信号ラインへのノイズの混入を防止するものである。
【０００８】
請求項４の発明は、請求項１乃至請求項３に記載のコネクタ取り付け構造を備えたことを特徴とする電子機器である。
【発明の効果】
【０００９】
請求項１の発明によれば、遮蔽部材が金属製のコネクタ固定ねじを介して金属製のシャーシに電気的に接続されているので、遮蔽部材に放電された静電気をコネクタ固定ねじを介してシャーシに逃がすことができる。これにより、コネクタ固定ねじとして安価な汎用のねじを用いつつ、該信号ラインへのノイズの混入を防止することができるようになる。
【００１０】
また、同発明によれば、以下の効果も得られる。すなわち、遮蔽部材の下端部には、平面視でコネクタの外側方向に突出するように、すなわち回路基板と対向するように、ねじ装着部が形成され、ねじ装着部及び回路基板にはねじ挿通穴が、シャーシには雌ねじが、それぞれ形成されているので、コネクタ固定ねじの締結によって遮蔽部材及び回路基板をシャーシに強固に固定することができる。これにより、コネクタの端子へのノイズの放射を抑制することができる。また、通信ケーブルの接続時において遮蔽部材に大きな力が加えられるような場合であっても、回路基板に掛かる応力をシャーシに分散して該基板の変形を抑制でき、該基板の破損等を防止することができる。さらに、シャーシには、コネクタ固定ねじを螺入するための雌ねじが形成されているので、ナット等の締結具が不要となり、部品点数を削減できると共に、組立作業を迅速かつ容易に行えるようになる。
【００１１】
請求項２の発明によれば、遮蔽部材が金属製のコネクタ固定ねじを介して金属製のシャーシに電気的に接続されているので、遮蔽部材に放電された静電気をコネクタ固定ねじを介してシャーシに逃がすことができる。これにより、コネクタ固定ねじとして安価な汎用のねじを用いつつ、該信号ラインへのノイズの混入を防止することができるようになる。
【００１２】
また、同発明によれば、以下の効果も得られる。すなわち、遮蔽部材の側面の一部がシャーシ側に延出されて、ねじ装着部が形成されると共に、回路基板及びシャーシには、ねじ装着部を挿通させるための挿通孔がそれぞれ形成され、シャーシには、ねじ装着部に対向するようにねじ螺入部が形成されているので、コネクタ固定ねじの締結によって遮蔽部材をシャーシに直接に固定することができ、これにより、コネクタがシャーシに強固に固定でき、コネクタの端子へのノイズの放射を抑制することができる。しかも、遮蔽部材とシャーシとは直接に結合されてないので、通信ケーブルの接続時において遮蔽部材に大きな力が加えられるような場合であっても、回路基板に大きな応力が掛かることがなく、回路基板の破損等を防止することができる。また、遮蔽部材の側面の一部をシャーシ側に延出することにより、ねじ装着部が形成されているので、回路の設計上、コネクタの周辺に請求項１に記載のねじ挿通穴を設ける空きスペースを確保できない場合であっても、コネクタ固定ねじを介してコネクタとシャーシを強固に結合させることができる。さらに、シャーシには、コネクタ固定ねじを螺入するための雌ねじが形成されているので、ナット等の締結具が不要となり、部品点数を削減できると共に、組立作業を迅速かつ容易に行えるようになる。
【００１３】
請求項３の発明によれば、遮蔽部材が金属製のコネクタ固定ねじを介して金属製のシャーシに電気的に接続されているので、遮蔽部材に放電された静電気をコネクタ固定ねじを介してシャーシに逃がすことができる。これにより、コネクタ固定ねじとして安価な汎用のねじを用いつつ、該信号ラインへのノイズの混入を防止することができるようになる。また、コネクタ固定ねじの締結によって遮蔽部材をシャーシに直接に固定することができるので、コネクタがシャーシに強固に固定でき、コネクタの端子へのノイズの放射を抑制することができる。
【００１４】
請求項４の発明によれば、電子機器において、上記効果と同等の効果を得ることができる。
【発明を実施するための最良の形態】
【００１５】
（実施形態１）
本発明を実施するための実施形態によるコネクタ取り付け構造を備えた電子機器について図面を参照して説明する。図１は上記電子機器の一例である画像形成装置を示している。画像形成装置１は、パーソナルコンピュータ等のコンピュータ装置２から出力される指令に応じて、記録紙に画像を形成する装置である。画像形成装置１とコンピュータ装置２とは、通常、ＵＳＢ通信ケーブル等の通信ケーブル３を介して接続される。そのため、画像形成装置１は、通信ケーブル３が接続されるコネクタ１１と、コネクタ１１が実装される回路基板１２を有している。なお、画像形成装置１が備える画像形成部及び記録紙搬送部は、従来のものと何ら変るところがないので、その説明を省略する。
【００１６】
図２は、コネクタ１１を回路基板１２上に取り付けるためのコネクタ取り付け構造１０を示している。コネクタ取り付け構造１０は、上記コネクタ１１及び回路基板１２と、回路基板１２が支持されるシャーシ１３と、コネクタ１１をシャーシ１３に固定するためのコネクタ固定ねじ１４等によって構成されている。シャーシ１３の材質として、例えばアルミニウム等、コネクタ固定ねじ１４の材質として、例えば鉄等の金属がそれぞれ挙げられる。
【００１７】
コネクタ１１は、通信ケーブル３が接続されて導通される複数の端子１５と、端子１５の周囲に配設された遮蔽部材１６を有している。遮蔽部材１６は、電界を遮蔽するために、金属板を板金加工することによって形成されている。回路基板１２には、端子１５と導通される信号ラインを含む各種の信号ラインパターンが形成されている。
【００１８】
遮蔽部材１６の下端部には、コネクタ固定ねじ１４を装着するためのねじ装着部１７が、平面視でコネクタ１１の外側方向に突出するように、すなわち、回路基板１２に対向するように形成されている。ねじ装着部１７及び回路基板１２には、コネクタ固定ねじ１４を挿通させるためのねじ挿通穴１８及び１９がそれぞれ形成されている。
【００１９】
シャーシ１３には、ねじ挿通穴１８及び１９に挿通されたコネクタ固定ねじ１４を螺入するための雌ねじ２０が形成されている。また、雌ねじ２０の周辺部２１は、板金加工等によって回路基板１２の側に隆起して形成され、回路基板１２と当接される。このように、雌ねじ２０の周辺部２１のみが回路基板１２の側に隆起して形成されていることによって、シャーシ１３と回路基板１２との間に絶縁性を有するスペーサを別途介在させることなく、雌ねじ２０の周辺部２１以外の部分と回路基板１２とが所定の間隔で離隔される。これにより、回路基板１２にディッピングされたはんだ及び回路基板１２に実装されている各種の電子部品の端子の先端等とシャーシ１３との接触による短絡が防止される。
【００２０】
以上のように、本実施形態のコネクタ取り付け構造１０によれば、遮蔽部材１６が金属製のコネクタ固定ねじ１４を介して金属製のシャーシ１３に電気的に接続されているので、遮蔽部材１６に放電された静電気をコネクタ固定ねじ１４を介してシャーシ１３に逃がすことができる。これにより、回路基板１２の信号ラインの近傍にアースラインを設ける必要がなくなり、コネクタ固定ねじ１４として安価な汎用のねじを用いつつ、該信号ラインへのノイズの混入を防止することができるようになる。また、遮蔽部材１６の下端部には、平面視でコネクタ１１の外側方向に突出するように、すなわち回路基板１２と対向するように、ねじ装着部１７が形成され、ねじ装着部１７及び回路基板１２にはねじ挿通穴１８及び１９が、シャーシ１３には雌ねじ２０が、それぞれ形成されているので、コネクタ固定ねじ１４の締結によって遮蔽部材１６及び回路基板１２をシャーシ１３に強固に固定することができる。これにより、画像形成装置１本体のノイズ発生源からコネクタ１１の端子１５へのノイズの放射を抑制することができる。また、通信ケーブル３の接続時においてコネクタ１１の遮蔽部材１６に大きな力が加えられるような場合であっても、回路基板１２に掛かる応力をシャーシ１３に分散して回路基板１２の変形を抑制でき、回路基板１２の破損等を防止することができる。さらに、シャーシ１３には、コネクタ固定ねじ１４を螺入するための雌ねじ２０が形成されているので、ナット等の締結具が不要となり、部品点数を削減できると共に、組立作業を迅速かつ容易に行えるようになる。
【００２１】
（実施形態２）
本発明の別の実施形態によるコネクタ取り付け構造３０について、図３を参照して説明する。本実施形態は、ねじ装着部３３が回路基板１２及びシャーシ１３を貫通するように、コネクタ３１の遮蔽部材３２の互いに対向する側面からシャーシ１３の側に延出されている点で、上記実施形態１とは相違する。また、回路基板１２及びシャーシ１３には、上述のごとく延出されたねじ装着部３３を挿通させるための挿通孔３５及び３６がそれぞれ形成されている。
【００２２】
ねじ装着部３３には、コネクタ固定ねじ１４を挿通させるためのねじ挿通穴３７が形成されている。また、シャーシ１３には、挿通孔３５及び３６に挿通されたねじ装着部３３に対向するように、ねじ螺入部３８が切り起こしによって形成されている。シャーシ１３の挿通孔３６及びねじ螺入部３８は、板金加工によって形成される。また、ねじ螺入部３８には、ねじ挿通穴３７に挿通されたコネクタ固定ねじ１４を螺入するための雌ねじ３９がそれぞれ形成されている。
【００２３】
以上のように、本実施形態のコネクタ取り付け構造３０によれば、実施形態１と同様に、遮蔽部材３２が金属製のコネクタ固定ねじ１４を介して金属製のシャーシ１３に電気的に接続されているので、回路基板１２の信号ラインの近傍にアースラインを設ける必要がなくなり、コネクタ固定ねじ１４として安価な汎用のねじを用いつつ、該信号ラインへのノイズの混入を防止することができるようになる。また、実施形態１と同様に、シャーシ１３には、コネクタ固定ねじ１４を螺入するための雌ねじ３９が形成されているので、ナット等の締結具が不要となり、部品点数を削減できると共に、組立作業を迅速かつ容易に行えるようになる。
【００２４】
また、遮蔽部材３２の側面の一部がシャーシ１３の側に延出されて、ねじ装着部３３が形成されると共に、回路基板１２及びシャーシ１３には、ねじ装着部３３を挿通させるための挿通孔３５及び３６がそれぞれ形成され、シャーシ１３には、ねじ装着部３３に対向するようにねじ螺入部３８が形成されているので、コネクタ固定ねじ１４の締結によって遮蔽部材３２をシャーシ１３に直接に固定することができる。これにより、コネクタ３１がシャーシ１３に強固に固定でき、画像形成装置１本体のノイズ発生源からコネクタ３１の端子１５へのノイズの放射を抑制することができる。しかも、遮蔽部材３２とシャーシ１３とは直接に結合されてないので、通信ケーブル３の接続時においてコネクタ３１の遮蔽部材３２に大きな力が加えられるような場合であっても、回路基板１２に大きな応力が掛かることがなく、回路基板１２の破損等を防止することができる。さらに、ねじ装着部３３が遮蔽部材３２の互いに対向する側面からシャーシ１３の側に延出されているので、コネクタ３１をシャーシ１３により一層強固に固定することができる。また、遮蔽部材３２の側面の一部をシャーシ１３の側に延出することによりねじ装着部３３が形成されているので、回路の設計上、コネクタ３１の周辺に実施形態１におけるねじ挿通穴１８（図２参照）を設ける空きスペースを確保できない場合であっても、コネクタ固定ねじ１４を介してコネクタ３１とシャーシ１３を強固に結合させることができる。
【００２５】
なお、本発明は上記実施形態の構成に限られることなく、少なくともコネクタの遮蔽部材がコネクタ固定ねじ１４を介してシャーシ１３に電気的に接続されていればよい。また、本発明は、種々の変形が可能であり、コンピュータ装置２等との接続に用いられる通信ケーブル３は、ＵＳＢ通信ケーブルに限られることなく、例えば、ＩＥＥＥ１３９４規格に準拠する通信ケーブル、又は、Ｅｔｈｅｒｎｅｔ（登録商標）等のＬＡＮ規格に準拠する通信ケーブル等であっても構わない。さらに、本発明のコネクタ取り付け構造１０、３０は、画像形成装置１に限られることなく、通信ケーブル３を接続するためのコネクタを有する電子機器に幅広く適用可能である。
【図面の簡単な説明】
【００２６】
【図１】本発明の一実施形態による電子機器の一例である画像形成装置とコンピュータ装置との接続状態を示した斜視図。
【図２】本発明の一実施形態によるコネクタ取り付け構造を示す半断面図。
【図３】本発明の別の実施形態によるコネクタ取り付け構造を示す半断面図。
【符号の説明】
【００２７】
１    画像形成装置
２    コンピュータ装置
３    通信ケーブル
１０    コネクタ取り付け構造
１１    コネクタ
１２    回路基板
１３    シャーシ
１４    コネクタ固定ねじ
１５    端子
１６    遮蔽部材
１７    ねじ装着部
１８，１９    ねじ挿通穴
２０    雌ねじ
２１    周辺部
３０    コネクタ取り付け構造
３１    コネクタ
３２    遮蔽部材
３３    ねじ装着部
３５，３６    挿通孔
３７    ねじ挿通穴
３８    ねじ螺入部
３９    雌ねじ
【図１】
2007087754.tif 000003
【図２】
2007087754.tif 000004
【図３】
2007087754.tif 000005